(57)【特許請求の範囲】
【請求項１】
出力の抑止対象から除外する文字列である複数のホワイトワードと、各ホワイトワードに対応する複数の音声データと、を記憶する記憶部と、
第１の場所からの入力音を音声認識して複数の文節に分解する音声認識部と、
各文節について前記複数のホワイトワードのいずれかに該当するか否かを判定する判定部と、
前記該当しないと判定された第１の文節が存在する場合、当該第１の文節に対応する音声データを前記複数のホワイトワードの中のいずれかに対応する第１の音声データに置換する置換部と、
前記第１の音声データと、前記該当すると判定された第２の文節に対応する第２の音声データとを結合した出力音を第２の場所へ出力する出力部と、
を備える情報処理装置。
【請求項２】
前記第１の文節が存在する場合、前記複数のホワイトワードの中からいずれかを選択する選択部をさらに備え、
前記置換部は、前記記憶部を参照し、前記選択したホワイトワードに対応する音声データを前記第１の音声データとして置換する
請求項１に記載の情報処理装置。
【請求項３】
前記複数の音声データのそれぞれは、前記第１の場所に存在する複数の人物のいずれかが発声した音声データであり、
前記複数の人物の中から前記入力音を発声した人物を識別する人物識別部をさらに備え、
前記選択部は、前記複数のホワイトワードのうち、前記識別した人物が発声した音声データと対応付けられたホワイトワードを選択する
請求項２に記載の情報処理装置。
【請求項４】
前記記憶部は、前記出力の抑止対象の文字列である複数のブラックワードをさらに記憶し、
前記判定部は、
各文節について前記複数のブラックワードのいずれかに該当するか否かを判定し、
当該複数のブラックワードのいずれにも該当しなかった文節について、前記複数のホワイトワードのいずれかに該当するか否かを判定し、
前記置換部は、前記複数のブラックワードのいずれかに該当する文節、又は、前記複数のホワイトワードのいずれにも該当しないと判定された文節のいずれかである前記第１の文節が存在する場合に、前記複数のホワイトワードの中のいずれかに対応する前記第１の音声データに置換する
請求項１乃至３のいずれか１項に記載の情報処理装置。
【請求項５】
前記記憶部には、前記複数の音声データのいずれとも対応付けられていない第１のホワイトワードが含まれ、
前記判定部において前記複数の文節のうち前記第１のホワイトワードに該当すると判定された文節に対応する前記第２の音声データを、当該第１のホワイトワードと対応付けて前記記憶部に登録する音声登録部をさらに備える
請求項１乃至４のいずれか１項に記載の情報処理装置。
【請求項６】
前記出力部が出力した出力音を、前記識別した人物及び時刻情報と対応付けて履歴情報として前記記憶部に登録する履歴登録部をさらに備え、
前記選択部は、前記履歴情報を加味して前記ホワイトワードを選択する
請求項３に記載の情報処理装置。
【請求項７】
前記選択部は、前記履歴情報を参照し、前記複数のホワイトワードの中から直前の前記出力音と文脈が関連するものを選択する
請求項６に記載の情報処理装置。
【請求項８】
前記選択部は、前記履歴情報を参照し、前記複数のホワイトワードの中から直前の前記出力音と重複しないホワイトワードをランダムに選択する
請求項６に記載の情報処理装置。
【請求項９】
前記記憶部は、特定の文節をさらに記憶し、
前記判定部は、各文節について前記特定の文節に該当するか否かを判定し、
前記出力部は、前記特定の文節に該当すると判定された場合に、以後、前記第２の場所からの入力音をそのまま前記第１の場所へ出力する
請求項１乃至７のいずれか１項に記載の情報処理装置。
【請求項１０】
前記記憶部は、前記特定の文節と対応付けて音楽データをさらに記憶し、
前記出力部は、前記特定の文節に該当すると判定された場合に、前記第１の場所及び前記第２の場所へ前記音楽データの出力を開始する
請求項９に記載の情報処理装置。
【請求項１１】
前記判定部は、
前記音声認識により前記入力音が音声として認識できない場合に、出力先である前記第２の場所に対する出力の抑止設定がされているか否かを判定し、
前記出力部は、
前記出力の抑止設定がされていない場合に、前記入力音をそのまま前記第２の場所へ出力し、
前記出力の抑止設定がされていた場合に、前記入力音の前記第２の場所への出力を抑止する
請求項１乃至１０のいずれか１項に記載の情報処理装置。
【請求項１２】
第１の場所からの入力音を音声認識して複数の文節に分解し、
出力の抑止対象から除外する文字列である複数のホワイトワードと各ホワイトワードに対応する複数の音声データとを記憶する記憶部を参照し、各文節について前記複数のホワイトワードのいずれかに該当するか否かを判定し、
前記該当しないと判定された第１の文節が存在する場合、当該第１の文節に対応する音声データを前記複数のホワイトワードの中のいずれかに対応する第１の音声データに置換し、
前記第１の音声データと、前記該当すると判定された第２の文節に対応する第２の音声データとを結合した出力音を第２の場所へ出力する
音声共有方法。
【請求項１３】
第１の場所からの入力音を音声認識して複数の文節に分解する処理と、
出力の抑止対象から除外する文字列である複数のホワイトワードと各ホワイトワードに対応する複数の音声データとを記憶する記憶部を参照し、各文節について前記複数のホワイトワードのいずれかに該当するか否かを判定する処理と、
前記該当しないと判定された第１の文節が存在する場合、当該第１の文節に対応する音声データを前記複数のホワイトワードの中のいずれかに対応する第１の音声データに置換する処理と、
前記第１の音声データと、前記該当すると判定された第２の文節に対応する第２の音声データとを結合した出力音を第２の場所へ出力する処理と、
をコンピュータに実行させる音声共有プログラム。
【発明の詳細な説明】
【技術分野】
【０００１】
本発明は、情報処理装置、並びに、音声共有方法及びプログラムに関し、特に、複数の場所の間で音声等を共有するための情報処理装置、並びに、音声共有方法及びプログラムに関する。
【背景技術】
【０００２】
近年、プライバシーに配慮しつつ、２カ所（部屋や建物等）の場所の間で生活音や音声等を共有するシステムが必要とされている。例えば、独居の高齢者と、当該高齢者と離れて暮らす子供世帯とで生活音や音声を共有する必要性が高まっている。関連する技術として例えば、特許文献１及び２がある。
【０００３】
特許文献１には、マスカ音生成装置に関する技術が開示されている。特許文献１にかかるマスカ音生成装置は、話者の発言内容の音声データに、発言内容の反意語の音声データ（マスカ音）を加えた音声データを生成して出力するものである。
【０００４】
特許文献２には、自宅に設置されたマイクにより集音された音声を端末装置により会社のスピーカにより出力する通信システムに関する技術について開示されている。特許文献２にかかる端末装置は、集音された音声に特定周波数帯のフィルタを行うことで人間の音声を除去した曖昧音声信号を生成し、会社のスピーカに出力させるものである。
【先行技術文献】
【特許文献】
【０００５】
【特許文献１】特開２０１２−０９８４８３号公報
【特許文献２】特許第４６１８３５１号公報
【発明の概要】
【発明が解決しようとする課題】
【０００６】
上述した特許文献１及び２では、一方の場所における発話内容を他方の場所において聞き取り難くするための技術であるため、聞き手に不快感を与えるおそれがあるという問題点がある。例えば、特許文献１にかかる手法は、反意語により元の発話内容を打ち消すものである。すなわち、反意語と元の発話内容とを同時に出力することにより音声を打ち消すものであるため、聞き手が発話内容を聞き取れないことにより不快感を覚える。また、特許文献１に係る他の手法は、元の発話内容の後に反意語を出力することにより元の発話内容を否定するものである。しかしながら、この場合、聞き手が出力音声を聞き取れてしまうため、元の発話内容か反意語に、聞き手にとっての不快な表現が含まれる場合には、聞き手に不快感を与えてしまう。さらに、特許文献２にかかる手法は、聞き手が聞き取り難い曖昧音声信号を出力するため、やはり聞き手に不快感を与えてしまう。
【０００７】
本発明は、このような問題点を解決するためになされたものであり、複数の場所の間で音声を共有する際に、互いの生活状況を把握させつつ、聞き手に与える不快感を軽減するための情報処理装置、並びに、音声共有方法及びプログラムを提供することを目的とする。
【課題を解決するための手段】
【０００８】
本発明の第１の態様にかかる情報処理装置は、
出力の抑止対象から除外する文字列である複数のホワイトワードと、各ホワイトワードに対応する複数の音声データと、を記憶する記憶部と、
第１の場所からの入力音を音声認識して複数の文節に分解する音声認識部と、
各文節について前記複数のホワイトワードのいずれかに該当するか否かを判定する判定部と、
前記該当しないと判定された第１の文節が存在する場合、当該第１の文節に対応する音声データを前記複数のホワイトワードの中のいずれかに対応する第１の音声データに置換する置換部と、
前記第１の音声データと、前記該当すると判定された第２の文節に対応する第２の音声データとを結合した出力音を第２の場所へ出力する出力部と、
を備える。
【０００９】
本発明の第２の態様にかかる音声共有方法は、
第１の場所からの入力音を音声認識して複数の文節に分解し、
出力の抑止対象から除外する文字列である複数のホワイトワードと各ホワイトワードに対応する複数の音声データとを記憶する記憶部を参照し、各文節について前記複数のホワイトワードのいずれかに該当するか否かを判定し、
前記該当しないと判定された第１の文節が存在する場合、当該第１の文節に対応する音声データを前記複数のホワイトワードの中のいずれかに対応する第１の音声データに置換し、
前記第１の音声データと、前記該当すると判定された第２の文節に対応する第２の音声データとを結合した出力音を第２の場所へ出力する。
【００１０】
本発明の第３の態様にかかる音声共有プログラムは、
第１の場所からの入力音を音声認識して複数の文節に分解する処理と、
出力の抑止対象から除外する文字列である複数のホワイトワードと各ホワイトワードに対応する複数の音声データとを記憶する記憶部を参照し、各文節について前記複数のホワイトワードのいずれかに該当するか否かを判定する処理と、
前記該当しないと判定された第１の文節が存在する場合、当該第１の文節に対応する音声データを前記複数のホワイトワードの中のいずれかに対応する第１の音声データに置換する処理と、
前記第１の音声データと、前記該当すると判定された第２の文節に対応する第２の音声データとを結合した出力音を第２の場所へ出力する処理と、
をコンピュータに実行させる。
【発明の効果】
【００１１】
本発明により、複数の場所の間で音声を共有する際に、互いの生活状況を把握させつつ、聞き手に与える不快感を軽減するための情報処理装置、並びに、音声共有方法及びプログラムを提供することができる。
【図面の簡単な説明】
【００１２】
【図１】本発明の実施の形態１にかかる音声共有システムの全体構成を示すブロック図である。
【図２】本発明の実施の形態１にかかる情報処理装置の構成を示すブロック図である。
【図３】本発明の実施の形態１にかかる家族の会話の例を示す図である。
【図４】本発明の実施の形態１にかかるホワイトワードの例を示す図である。
【図５】本発明の実施の形態１にかかるブラックワードの例を示す図である。
【図６】本発明の実施の形態１にかかるブラックワードの他の例を示す図である。
【図７】本発明の実施の形態１にかかる音声処理の流れを示すフローチャートである。
【図８】本発明の実施の形態１にかかる文節置換処理の流れを示すフローチャートである。
【図９】本発明の実施の形態１にかかるホワイトワード置換後の出力音の例を示す図である。
【図１０】本発明の実施の形態２にかかる情報処理装置の構成を示すブロック図である。
【図１１】本発明の実施の形態２にかかる文節置換処理の流れを示すフローチャートである。
【図１２】本発明の実施の形態３にかかる音声処理の流れを示すフローチャートである。
【発明を実施するための形態】
【００１３】
以下では、本発明を適用した具体的な実施の形態について、図面を参照しながら詳細に説明する。各図面において、同一要素には同一の符号が付されており、説明の明確化のため、必要に応じて重複説明は省略する。
【００１４】
＜実施の形態１＞
図１は、本発明の実施の形態１にかかる音声共有システム１０００の全体構成を示すブロック図である。音声共有システム１０００は、子世帯住宅２１と独居高齢者住宅２２との間で、情報処理装置１０を介して互いの音声や生活音を共有するためのシステムである。子世帯住宅２１は、第１の場所の一例であり、例えば、ユーザＵ１１、Ｕ１２及びＵ１３の３名の家族が居住しているものとする。子世帯住宅２１は、マイク２１１及びスピーカ２１２が設置され、それぞれ情報処理装置１０と通信回線等を介して接続されているものとする。
【００１５】
また、独居高齢者住宅２２は、第２の場所の一例であり、例えば、ユーザＵ２１が居住しているものとする。独居高齢者住宅２２は、マイク２２１及びスピーカ２２２が設置され、それぞれ情報処理装置１０と通信回線等を介して接続されているものとする。
【００１６】
情報処理装置１０は、マイク２１１を介して、子世帯住宅２１におけるユーザＵ１１からＵ１３の発話内容や物音などの生活音を取得し、所定の変換を行ってスピーカ２２２を介して独居高齢者住宅２２へ出力する。また、情報処理装置１０は、マイク２２１を介して、独居高齢者住宅２２におけるユーザＵ２１の発話内容や物音などの生活音を取得し、所定の変換を行ってスピーカ２１２を介してスピーカ２１２へ出力する。そのため、例えば、ユーザＵ１１からＵ１３は、一人暮らしをしているユーザＵ１１の子や孫であり、自身の親や祖父母であるユーザＵ２１の生活状況を把握するために音声共有システム１０００を利用し、ユーザＵ１１は、子や孫であるユーザＵ１１からＵ１３の生活状況を把握するために音声共有システム１０００を利用しているものとする。
【００１７】
図２は、本発明の実施の形態１にかかる情報処理装置１０の構成を示すブロック図である。情報処理装置１０は、音声取得部１１０と、音声認識部１２０と、人物識別部１３０と、文節置換部１４０と、音声出力部１５０と、記憶部１６０とを備える。記憶部１６０は、ホワイトワード１６１と、ホワイト音声データ１６２と、人物情報１６３と、ブラックワード１６４と、履歴情報１６５と、を記憶する記憶装置である。
【００１８】
ホワイトワード１６１は、出力の抑止対象から除外する文字列である。ホワイトワード１６１は、発話された場所（例えば、子世帯住宅２１）とは異なる場所（音声共有の相手側、例えば、独居高齢者住宅２２）において聞き手が聞いたとしても不快感を与えない表現である。また、ホワイトワード１６１は、相手側において、発話者のプライバシーの侵害とはならない表現である。そして、ホワイトワード１６１は、言語としてそれ以上に分けることができない単位である文節や形態素等のテキストデータであるものとする。尚、記憶部１６０には、複数のホワイトワード１６１が記憶されているものとする。
【００１９】
ホワイト音声データ１６２は、ホワイトワード１６１に対応する音声データである。また、ホワイト音声データ１６２は、ユーザＵ１１〜Ｕ１３及びＵ２１のいずれかがホワイトワード１６１を発声した音声データである。そして、ホワイト音声データ１６２は、一つのホワイトワード１６１について、発話者ごとに異なる複数の音声データが対応付けられているものとする。ホワイト音声データ１６２の声質等が発話者ごとに異なるためである。尚、ホワイトワード１６１の中には、対応するホワイト音声データ１６２が登録されていないものがあっても構わない。特に、一つのホワイトワード１６１当たりに全ての発話者のそれぞれによる音声データが登録されていなくても構わない。または、ある発話者において、テキストデータとしてのホワイトワード１６１が登録されているが、実際に発声されたホワイト音声データ１６２が未登録であっても構わない。
【００２０】
人物情報１６３は、子世帯住宅２１又は独居高齢者住宅２２に居住する人物、つまり、発話する可能性のある人物（発話者）を示す情報である。ここでは、人物情報１６３として、ユーザＵ１１〜Ｕ１３及びＵ２１を示す情報が登録されているものとする。
【００２１】
ブラックワード１６４は、出力の抑止対象の文字列である。ブラックワード１６４は、ＮＧワードとも呼ばれ、聞き手にとって不快な表現を指す。または、ブラックワード１６４には、話し手のプライバシーにかかわる表現も含まれるものとする。ブラックワード１６４もホワイトワード１６１と同様に、文節等のテキストデータである。尚、記憶部１６０には、複数のブラックワード１６４が記憶されているものとする。また、発話者ごとに異なる複数のブラックワード１６４の集合が対応付けられているものとする。
【００２２】
ここで、本実施の形態にかかるホワイトワード及びブラックワードについて具体例で説明する。まず、図３は、本発明の実施の形態１にかかる家族の会話の例を示す図である。ここでは、三人家族（父、母、子）の会話の例を示す。尚、図３の例に含まれる文節では、例えば、ブラックワードとして母の発言中の「最悪」、「辛い」、「死ぬ」及び「ダメかも」が挙げられる。そして、それ以外は、全てホワイトワードとして登録可能なものといえる。そして、図４は、本発明の実施の形態１にかかるホワイトワードの例を示す図である。すなわち、図４は、図３の示す会話のテキストデータを形態素解析等の言語処理により文節ごとに分解したもののうち、上記ブラックワードを除いた各文節を発話者（人物）と対応付けた情報としてまとめたものである。つまり、ホワイトワード１６１は、ホワイトワード１６１に対応するホワイト音声データ１６２と、ホワイト音声データ１６２を発話した人物と対応付けたホワイトワード群として管理されるものである。言い換えると、記憶部１６０には、人物情報１６３ごとに、複数のホワイトワード１６１及びホワイト音声データ１６２の組合せが定義されている。または、ホワイトワード１６１、ホワイト音声データ１６２及び人物情報１６３の組合せが定義されているともいえる。また、図５は、本発明の実施の形態１にかかるブラックワードの例を示す図である。尚、ここでは、母のブラックワードのうち一部を父や子にも対応付けて登録しているものとする。
【００２３】
図６は、本発明の実施の形態１にかかるブラックワードの他の例を示す図である。図６に示すブラックワードは、子世帯の会話内容の中で親の耳に入らない方が良い言葉を例示したものである。また、上述した通り、ブラックワードは、発話者（人物）と対応付けられ、同じ言葉であっても発話者によって、ブラックワードか否かが異なるものとする。そのため、子世帯が親のことを心配した会話内容や聞き手を傷つける可能性のある表現をブラックワードとして登録するものとする。
【００２４】
図２に戻り説明を続ける。履歴情報１６５は、音声出力部１５０による出力音と、入力音の発声者として識別された人物及び時刻情報とが対応付けられた情報である。履歴情報１６５は、後述するように、ホワイトワードを選択する際に考慮される。
【００２５】
音声取得部１１０は、マイク２１１又はマイク２２１を介して入力された音信号、つまり、入力音を取得する。音声認識部１２０は、入力音を音声認識してテキストデータに変換する。そして、音声認識部１２０は、変換したテキストデータを複数の文節に分解する。尚、音声認識ができない入力音は、生活音とみなすものとする。
【００２６】
人物識別部１３０は、入力音を解析して、人物情報１６３の中から実際に入力音を発声した人物を識別する。例えば、人物ごとに予めサンプルの音声データの周波数特性等が登録されており、人物識別部１３０は、入力音と各人物の周波数特性とが所定の範囲内である場合に、入力音が当該人物により発声されたものと特定してもよい。
【００２７】
文節置換部１４０は、判定部、選択部及び置換部の一例であり、識別された人物と、分解された複数の文節とに基づいて、各文節が前記複数のホワイトワードのいずれかに該当するか否かを判定し、該当しないと判定された第１の文節が存在する場合、当該第１の文節に対応する音声データを、複数のホワイトワードの中のいずれかに対応する第１の音声データに置換する。
【００２８】
音声出力部１５０は、出力部、音声登録部及び履歴登録部の一例であり、第１の音声データと、前記該当すると判定された第２の文節に対応する第２の音声データとを結合した出力音を相手側（第２の場所）へ出力する。
【００２９】
図７は、本発明の実施の形態１にかかる音声処理の流れを示すフローチャートである。まず、音声取得部１１０は、入力場所から入力音を取得する（Ｓ１１）。例えば、入力場所が子世帯住宅２１側である場合、音声取得部１１０は、ユーザＵ１１〜Ｕ１３のいずれかの発話内容についてマイク２１１を介して取得するものとする。次に、音声認識部１２０は、入力音について音声認識処理を行う（Ｓ１２）。尚、音声認識処理は公知の技術を適用可能であるため、具体的な説明を省略する。そして、音声認識部１２０は、入力音が音声であるか否かを判定する（Ｓ１３）。例えば、音声認識部１２０は、入力音を音声認識したことによりテキストデータに変換できたか否かを判定する。ここで、入力音が音声である場合、音声認識部１２０は、入力音から音声認識結果Ｔとしてテキストデータに変換できるものとする。
【００３０】
ステップＳ１３において、入力音が音声であると判定された場合、人物識別部１３０は、人物情報１６３の中から入力音を発声した人物を識別する（Ｓ１４）。例えば、人物識別部１３０は、ユーザＵ１１からＵ１３の音声データの周波数特性のうち入力音の周波数特性と所定の範囲内のユーザを特定する。
【００３１】
また、ステップＳ１３において、入力音が音声であると判定された場合、文節置換部１４０は、音声認識結果Ｔを複数の文節Ｔｉ（ｉ＝１〜ｎ）に分解する（Ｓ１５）。尚、ステップＳ１４及びＳ１５は、並列又は直列に処理されるものとする。
【００３２】
そして、ステップＳ１４及びＳ１５の後、文節置換部１４０は、文節置換処理を行う（Ｓ１６）。ここで、図８は、本発明の実施の形態１にかかる文節置換処理の流れを示すフローチャートである。
【００３３】
まず、文節置換部１４０は、カウンタｉが１からｎの間でステップＳ３２からＳ３８の処理を繰り返す（Ｓ３１）。まず、文節置換部１４０は、文節Ｔｉと、識別された人物Ｘに対応付けられたブラックワード群とのマッチングを行う（Ｓ３２）。そして、文節置換部１４０は、一致するか否かを判定する（Ｓ３３）。すなわち、文節置換部１４０は、文節Ｔｉについて、記憶部１６０のブラックワード群のうち人物Ｘに対応付けられたブラックワード１６４のいずれかに該当するか否かを判定する。
【００３４】
ステップＳ３３で一致しないと判定された場合（Ｓ３３でＮＯ）、文節置換部１４０は、文節Ｔｉと、識別された人物Ｘに対応付けられたホワイトワード群とのマッチングを行う（Ｓ３４）。そして、文節置換部１４０は、一致するか否かを判定する（Ｓ３５）。すなわち、文節置換部１４０は、文節Ｔｉについて、記憶部１６０のホワイトワード群のうち人物Ｘに対応付けられたホワイトワード１６１のいずれかに該当するか否かを判定する。言い換えると、文節置換部１４０は、複数のブラックワードのいずれにも該当しなかった文節について、前記複数のホワイトワードのいずれかに該当するか否かを判定する。
【００３５】
ステップＳ３３で一致すると判定された場合（Ｓ３３でＹＥＳ）、又は、ステップＳ３５で一致すると判定された場合（Ｓ３５でＮＯ）、文節置換部１４０は、置換対象のホワイトワードを選択する（Ｓ３６）。すなわち、文節置換部１４０は、複数のホワイトワードの中からいずれかを選択する。特に、文節置換部１４０は、複数のホワイトワードのうち、識別した人物Ｘが発声したホワイト音声データ１６２と対応付けられたホワイトワード１６１を選択する。すなわち、識別した人物Ｘに対応付けられたホワイトワード音声データ１６２が存在しない場合には、当該ホワイトワードは選択されない。尚、この場合に、デフォルト音声を用いることとすれば、ホワイトワード音声データ１６２の存在によらず、選択してもよい。
【００３６】
そして、文節置換部１４０は、文節Ｔｉを選択したホワイトワードに置換する（Ｓ３７）。ステップＳ３７の後、又は、ステップＳ３５で一致しないと判定された場合（Ｓ３５でＹＥＳ）、次のカウンタｉが選択され、ステップＳ３１へ戻る（Ｓ３８）。また、ステップＳ３８において、カウンタｉがｎを超える場合、当該文節置換処理を終了し、図７のステップＳ１７へ戻る。
【００３７】
続いて、文節置換部１４０は、各文節を音声データに変換し、結合して出力音を生成する（Ｓ１７）。このとき、各文節ＴｉのうちステップＳ１６の文節置換処理においてホワイトワードに置換されたものについては、文節置換部１４０は、記憶部１６０を参照し、置換後のホワイトワード１６１に対応し、かつ、人物Ｘに対応するホワイト音声データ１６２を読み出し、第１の音声データとして変換する。また、各文節Ｔｉのうち文節置換処理においてホワイトワードに一致した文節については、文節置換部１４０は、同様に記憶部１６０から対応するホワイト音声データ１６２を読み出すか、入力音における当該文節に対応する音声データを用いて第２の音声データとして変換してもよい。そして、文節置換部１４０は、変換後の第１の音声データと第２の音声データとを結合して出力音とする。ここで、結合の仕方としては、例えば、ステップＳ１５において音声認識結果Ｔを分解した各文節の順序通りに結合しても良い。または、発話内容として成立し得る程度に、文節の分解順序を入れ替えたものを結合順序としても構わない。
【００３８】
尚、ステップＳ３６、Ｓ３７及びＳ１７の処理を言い換えると、文節置換部１４０は、複数のブラックワードのいずれかに該当する文節、又は、複数のホワイトワードのいずれにも該当しないと判定された文節のいずれかである第１の文節が存在する場合に、当該文節に対応する音声データを、複数のホワイトワードの中のいずれかに対応する第１の音声データに置換するものである。上述の通り、ブラックワードとホワイトワードは人物に対応付けられており、人物によって異なるワードが対応付けられている。そのため、置換するホワイトワードの木目細かな制御が可能となる。
【００３９】
その後、音声出力部１５０は、出力音を出力場所へ出力する（Ｓ１９）。上記の例の場合、音声出力部１５０は、出力音を、スピーカ２２２を介して独居高齢者住宅２２へ出力する。
【００４０】
また、ステップＳ１９と併せて、音声出力部１５０は、出力音を履歴情報１６５に登録する（Ｓ１８）。具体的には、音声出力部１５０は、出力音を、識別した人物Ｘと、時刻情報と対応付けて履歴情報１６５として記憶部１６０に登録する。尚、ステップＳ３６の際に、文節置換部１４０は、履歴情報１６５を加味してホワイトワードを選択する。このように、出力音の履歴を用いることで、入力音の発話者と同一人物の過去の実際の音声を用いて置換を行うことができ、聞き手にとっての違和感が軽減される。
【００４１】
尚、ステップＳ１３において、入力音が音声でないと判定された場合、音声出力部１５０は、入力音をそのまま出力音として相手側へ出力する（Ｓ２０）。
【００４２】
このように、本発明の実施の形態１では、複数の場所の間で音声を共有する際に、互いの生活状況を把握させつつ、聞き手に与える不快感を軽減することができる。ここで、第１の場所と第２の場所とは、遠隔地であるか、同一の建物内であっても壁を隔てており、直接音声が聞こえない範囲であるものとする。また、本発明の実施の形態１は、３か所以上の場所での音声の共有にも適用可能である。また、図１の例では、子世帯住宅２１に複数のユーザＵ１１からＵ１３が存在していたが、少なくとも１名存在すればよい。また、独居高齢者住宅２２には複数のユーザが存在してもよい。仮に、双方の場所に一名ずつ存在していたとしても、本実施の形態により少なくとも音声か物音かの識別は可能であるためである。
【００４３】
また、上記の例では、図８のステップＳ３２においてブラックワード群によるマッチングを行っていたが、本実施の形態のマッチングは、少なくとも図８のステップＳ３４におけるホワイトワード群とのマッチングが行われればよい。すなわち、本実施の形態にかかる情報処理装置は、少なくとも、出力の抑止対象から除外する文字列である複数のホワイトワードと、各ホワイトワードに対応する複数の音声データと、を記憶する記憶部と、第１の場所からの入力音を音声認識して複数の文節に分解する音声認識部と、各文節について前記複数のホワイトワードのいずれかに該当するか否かを判定する判定部と、前記該当しないと判定された第１の文節が存在する場合、当該第１の文節に対応する音声データを前記複数のホワイトワードの中のいずれかに対応する第1の音声データに置換する置換部と、前記第1の音声データと、前記該当すると判定された第２の文節に対応する第２の音声データとを結合した出力音を第２の場所へ出力する出力部と、を備えるものである。
【００４４】
これにより、第２の場所においては、出力音を音声として違和感なく聞き取ることができる。本実施の形態にかかる出力音は、例えば、上述したような特許文献１のように元の発話内容を打ち消すことがなく、特許文献２のような曖昧音声信号でもない。そのため、第２の場所の聞き手は、人物の音声として明確に認識できるため、不快感を抑えることができる。
【００４５】
また、聞き手に不快な表現を与えないために予めブラックワードを登録するだけでは、限界がある。すなわち、未登録の表現については排除できず、将来的に聞き手に対して不快な表現が出力される懸念がある。そこで、本実施の形態では、ブラックワードの排除というアプローチを必須とせず、ホワイトワード群に該当しない表現をホワイトワードに置き換えるというアプローチを最低限のものとしている。つまり、入力音の各文節について、聞き手において不快感を与えない表現であるホワイトワードに該当しない場合において、ホワイトワードに対応する音声データに置き換えることで、聞き手に対して不快な表現が出力される余地を排除している。そのため、聞き手の不快感を抑えることができる。また、ホワイトワードには、話し手のプライバシーにかかわる表現を除くことで、結果的に、話し手のプライバシーを保護することができる。そのため、本実施の形態により、複数の場所の間で音声を共有する際に、互いの生活状況を把握させつつ、聞き手に与える不快感を軽減することができる。つまり、子世帯における親世帯の見守りと、親世帯において子世帯を把握できる安心感とを両立することができる。
【００４６】
そして、図８では、まず、ステップＳ３２においてブラックワード群によるマッチングを行った後に、一致しなかった文節についてのみステップＳ３４でホワイトワード群によるマッチングを行っている。これにより、マッチング処理の効率を向上できる。その理由は、先にブラックワード群の中の一つでも該当した場合には、残りのブラックワード群（及びホワイトワード群）とのマッチングは不要にできるためである。特に、ホワイトワード群は、違和感を軽減すべく出力音のバリエーションを増やすためには、ある程度の数を登録する必要がある。そのため、ホワイトワード群のマッチング処理は、ブラックワード群のマッチング処理と比べて処理負荷が大きくなる可能性がある。よって、ステップＳ３４の前にステップＳ３２を実行することで処理効率を向上できる可能性がある。
【００４７】
また、本実施の形態は、第１の文節が存在する場合、複数のホワイトワードの中からいずれかを選択し、記憶部を参照し、選択したホワイトワードに対応する音声データを第１の音声データとして置換するものといえる。
【００４８】
さらに本実施の形態は、人物情報１６３に含まれる各人物には、予めホワイトワード１６１を発声させた際のホワイト音声データ１６２を録音し、記憶部１６０に登録しておくものとする。そして、入力音を実際に発声した人物を識別し、第１の文節をホワイトワードに置換する際に、その人物の実際のホワイト音声データ１６２に置換するものである。そのため、第２の場所の聞き手は、出力音が第１の場所のいずれかの人物による声であると認識することができ、安心感を増すことができる。一方で、入力音のうちホワイトワード以外をホワイトワードに置換しているため、出力音は、第１の場所における実際の発言内容とは異なる内容に置き換わっている。そのため、聞き手には発言内容自体を把握させないことができ、話し手のプライバシーを保護できる。
【００４９】
尚、上述した通り、記憶部１６０には、ホワイトワード１６１、ホワイト音声データ１６２及び人物情報１６３の組合せを定義している。そのため、人物ごとにホワイトワードを異なるものとすることができ、出力音をより話し手の個性に近付けることができる。つまり、子世帯住宅２１と独居高齢者住宅２２とでホワイトワード群を分けることができる。また、例えば、子世帯住宅２１のユーザＵ１１及びＵ１２とその子（孫）のユーザＵ１３とでホワイトワード群を異なるものとすることができる。
【００５０】
さらに、ホワイト音声データ１６２は、全ての人物について全てのホワイトワード１６１に対応するものが登録されていなくてもよい。そのため、ある人物についてはホワイト音声データ１６２が対応付けられているが、別の人物については、同一のホワイトワード１６１に対応するホワイト音声データ１６２が登録されていないことがあってもよい。その場合、文節置換部１４０は、別の人物におけるホワイトワードの選択時には、当該ホワイトワードを選択対象から除く。または、当初は、他人のホワイト音声データ１６２により置換を行ってもよい。
【００５１】
そして、ホワイト音声データ１６２が未登録の第１のホワイトワードについて、その後、入力音に第１のホワイトワードに対応する音声が含まれていた場合には、その音声データを登録するとよい。すなわち、前記記憶部には、前記複数の音声データのいずれとも対応付けられていない第１のホワイトワードが含まれ、前記判定部において前記複数の文節のうち前記第１のホワイトワードに該当すると判定された文節に対応する前記第２の音声データを、当該第１のホワイトワードと対応付けて前記記憶部に登録する音声登録部をさらに備える。これにより、当初はホワイト音声データ１６２の登録量が少ない場合であっても、運用開始後に徐々に本人によるホワイト音声データ１６２を蓄積することができる。または、テキストデータとしてのホワイトワード１６１のみを登録しておくことで、自動的にホワイト音声データ１６２を追加登録することができる。これらにより、置換に用いるホワイト音声データ１６２の種類を増やすことができ、聞き手にとっての違和感を軽減できる。
【００５２】
尚、図８のステップＳ３６におけるホワイトワードの選択の仕方については、複数の方法を取り得る。例えば、図８のステップＳ３６において文節置換部１４０は、ホワイトワードをランダムに選択するとよい。または、文節置換部１４０は、履歴情報１６５を参照し、複数のホワイトワード１６１の中から直前の出力音と重複しないホワイトワードをランダムに選択してもよい。これにより、例えば、数日前の発話内容が出力されるなどするため、聞き手には何等かの会話が伝わるが、全体としては文脈を伝えることを抑止でき、話し手のプライバシーを保護できる。
【００５３】
または、文節置換部１４０は、履歴情報１６５を参照し、複数のホワイトワード１６１の中から直前の出力音と文脈が関連するものを選択するとよい。ここで、「直前の出力音と文脈が関連するもの」を選択するには、例えば、知識情報を用いることが挙げられる。知識情報は、音声認識（ディクテーション）処理の音声のテキストに変換時に利用している入力した音声への類似度や生起確率を利用することが挙げられる。例えば、文節置換部１４０は、文節列がＴ１、Ｔ２、・・・、Ｔｋ−１、Ｔｋであり、文節Ｔｋがホワイトワードに該当しなかった場合、Ｔ１、Ｔ２、・・・、Ｔｋ−１の流れで次に生起する確率の高いホワイトワードＡを置換対象として選択する。例えば、図９は、本発明の実施の形態１にかかるホワイトワード置換後の出力音の例を示す図である。この例では、母の発話のうちブラックワードについて、適宜、母のホワイトワードの中の一つと置換されて出力音とされたことを示す。
これにより、会話の流れの違和感が減少する。一方で、発話内容自体はホワイトワードに置き換わっているため、話し手のプライバシーを保護できる。
【００５４】
＜実施の形態２＞
本実施の形態２は、上述した実施の形態１の改良例であり、入力音に特定の文節が含まれる場合にはスルーモードに移行し、以後、双方の入力音に対するホワイトワードへの置換処理を行わず、双方で直接、会話を行うことができるものである。すなわち、本実施の形態２において、前記記憶部は、特定の文節をさらに記憶し、前記判定部は、各文節について前記特定の文節に該当するか否かを判定し、前記出力部は、前記特定の文節に該当すると判定された場合に、以後、前記第２の場所からの入力音をそのまま前記第１の場所へ出力するものである。つまり、第１の場所での発話内容に応じて第２の場所での発話内容への置換処理に影響を与えるものである。これにより、各ユーザが必要に応じて相手側と置換処理なく会話をすることができ、見守りをより支援し、安心感を向上できる。
【００５５】
図１０は、本発明の実施の形態２にかかる情報処理装置１０ａの構成を示すブロック図である。情報処理装置１０ａは、図２と比べて文節置換部１４０が文節置換部１４０ａに置き換わり、記憶部１６０に呼びかけ語１６６が追加されたものである。尚、その他の構成は、図２と同等であるため詳細な説明を省略する。
【００５６】
文節置換部１４０ａは、各文節について呼びかけ語１６６に該当するか否かを判定する。文節置換部１４０ａは、呼びかけ語１６６に該当する文節が存在する場合、スルーモードの設定を行い、以後、スルーモードの設定が解除されるまで、文節の置換をスキップする。尚、スルーモードの設定の解除条件は、例えば、一定時間を経過したことや、解除するための呼びかけ語等である。
【００５７】
呼びかけ語１６６は、相手側のユーザに呼びかける言葉であり、ホワイトワード１６１及びブラックワード１６４とは異なる文節である。また、呼びかけ語１６６は、複数の文節の順序と組合せを定義してもよい。さらに、呼びかけ語１６６は、人物と対応付けてもよい。例えば、子世帯住宅２１のユーザＵ１１やＵ１２が独居高齢者住宅２２のユーザＵ２１に対して、「おばあちゃん、ちょっといい？」と呼びかける場合には、呼びかけ語１６６は、文節「おばあちゃん」と文節「ちょっといい」の順序及び組合せであり、ユーザＵ１１及びＵ１２と対応付けられていることとなる。
【００５８】
図１１は、本発明の実施の形態２にかかる文節置換処理の流れを示すフローチャートである。尚、図８と同一の処理には同等の符号が付されている。ここでは、文節置換部１４０ａは、ブラックワードやホワイトワードとのマッチングを行う前に、現在、スルーモードが設定（ＯＮ）されているか否かを判定する（Ｓ４１）。
【００５９】
スルーモードがＯＦＦの場合（Ｓ４１でＮＯ）、文節置換部１４０ａは、文節Ｔｉが人物Ｘに対応付けられた呼びかけ語１６６に該当するか否かを判定する（Ｓ４２）。呼びかけ語１６６に該当する場合（Ｓ４２でＹＥＳ）、文節置換部１４０ａは、スルーモードをＯＮに設定する（Ｓ４３）。そして、この後、文節Ｔｉについては図８のステップＳ３２からＳ３７に示した通常の文節置換処理をスキップする。
【００６０】
一方、スルーモードがＯＮの場合（Ｓ４１でＹＥＳ）、文節置換部１４０ａは、スルーモードの終了条件か否かを判定する（Ｓ４４）。例えば、スルーモードがＯＮにされてから一定時間以上経過したか、文節Ｔｉがスルーモードを終了する呼びかけ語であるか等を判定する。
【００６１】
スルーモードの終了条件である場合（Ｓ４４でＹＥＳ）、文節置換部１４０ａは、スルーモードをＯＦＦに設定する（Ｓ４５）。そして、ステップＳ４５の後、又は、ステップＳ４２において文節Ｔｉが呼びかけ語１６６に該当しないと判定された場合、文節置換部１４０ａは、図８のステップＳ３２からＳ３７の通常の文節置換処理を行う（Ｓ４６）。
【００６２】
また、スルーモードの終了条件でない場合（Ｓ４４でＮＯ）、文節Ｔｉについては図８のステップＳ３２からＳ３７に示した通常の文節置換処理をスキップする。
【００６３】
このように、本実施の形態では、スルーモードがＯＮに設定されている間は、文節のホワイトワードへの置換がなされないため、結果として、音声出力部１５０は、入力音をそのまま出力音として相手側へ出力することとなる。
【００６４】
尚、スルーモードであることを双方のユーザに認識し易くするために、スルーモードがＯＮに設定されている間に、双方のスピーカから所定の音楽を流すことが望ましい。その際、音量は音声の聞き取りに支障がない程度とする。すなわち、前記記憶部は、前記特定の文節と対応付けて音楽データをさらに記憶し、前記出力部は、前記特定の文節に該当すると判定された場合に、前記第１の場所及び前記第２の場所へ前記音楽データの出力を開始することが望ましい。
【００６５】
＜実施の形態３＞
本実施の形態３は、上述した実施の形態１の改良例であり、一方の場所において生活音の出力を抑止することが可能なものである。すなわち、本実施の形態３において、前記判定部は、前記音声認識により前記入力音が音声として認識できない場合に、出力先である前記第２の場所に対する出力の抑止設定がされているか否かを判定し、前記出力部は、前記出力の抑止設定がされていない場合に、前記入力音をそのまま前記第２の場所へ出力し、前記出力の抑止設定がされていた場合に、前記入力音の前記第２の場所への出力を抑止するものである。これにより、例えば、一方の生活音を他方へ出力させないことができ、他方の側のユーザに不要な心配や不快感を軽減できる。
【００６６】
本実施の形態３にかかる情報処理装置の構成は、図１又は図１０と同等であるため、図示及び説明を省略する。但し、本実施の形態３にかかる情報処理装置は、任意のタイミングで出力場所ごとの生活音抑止モードの設定（ＯＮ／ＯＦＦ）を受け付けることが可能であるものとする。
【００６７】
図１２は、本発明の実施の形態３にかかる音声処理の流れを示すフローチャートである。尚、図７と同一の処理には同等の符号が付されている。また、音声取得部１１０は、入力音を取得する際に、入力ポートに応じて当該入力音の入力場所を識別する情報を入力音に付加するものとする。
【００６８】
そして、ステップＳ１３において、入力音が音声でないと判定された場合、文節置換部１４０は、入力音の入力場所の識別を行う（Ｓ５２）。つまり、文節置換部１４０は、入力音に付加された入力場所の識別情報を参照し、当該入力音の入力場所が子世帯住宅２１のマイク２１１か独居高齢者住宅２２のマイク２２１かを識別する。
【００６９】
その後、音声出力部１５０は、出力場所の生活音抑止モードがＯＮに設定されているか否かを判定する（Ｓ５３）。つまり、音声出力部１５０は、入力音の入力場所に対する出力場所を特定し、出力場所に対して生活音抑止モードがＯＮに設定されているか否かを判定する。例えば、予め、出力場所の独居高齢者住宅２２に対して生活音抑止モードがＯＮに設定されている場合には、ステップＳ５３でＹＥＳと判定され、音声出力部１５０は、入力音を除去する（Ｓ５４）。そのため、子世帯住宅２１のマイク２１１から取得された入力音のうち、音声認識できないもの、つまり、生活音については、独居高齢者住宅２２のスピーカ２２２からは出力されない。
【００７０】
一方、出力場所の生活音抑止モードがＯＦＦに設定されている場合、つまり、ステップＳ５３でＮＯと判定された場合、音声出力部１５０は、入力音をそのまま出力音として第２の場所へ出力する（Ｓ２０）。尚、ステップＳ１３において、入力音が音声であると判定された場合、図７のステップＳ１４からＳ１９の処理を行う（Ｓ５１）。
【００７１】
このように、本実施の形態３により、例えば、子世帯住宅２１側の生活音（例えば、ガラスが割れる音など）を、独居高齢者住宅２２側へ出力させないことができ、高齢者側の心配を軽減できる。
【００７２】
＜その他の実施の形態＞
なお、本発明は上記実施の形態に限られたものではなく、趣旨を逸脱しない範囲で適宜変更することが可能である。
【００７３】
また、上述の実施の形態では、本発明をハードウェアの構成として説明したが、本発明は、これに限定されるものではない。本発明は、任意の処理を、ＣＰＵ（Central Processing Unit）にコンピュータプログラムを実行させることにより実現することも可能である。
【００７４】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、ＤＶＤ（Digital Versatile Disc）、ＢＤ（Blu-ray（登録商標） Disc）、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７５】
上記の実施形態の一部又は全部は、以下の付記のようにも記載され得るが、以下には限られない。
（付記１）
出力の抑止対象から除外する文字列である複数のホワイトワードと、各ホワイトワードに対応する複数の音声データと、を記憶する記憶部と、
第１の場所からの入力音を音声認識して複数の文節に分解する音声認識部と、
各文節について前記複数のホワイトワードのいずれかに該当するか否かを判定する判定部と、
前記該当しないと判定された第１の文節が存在する場合、当該第１の文節に対応する音声データを前記複数のホワイトワードの中のいずれかに対応する第１の音声データに置換する置換部と、
前記第１の音声データと、前記該当すると判定された第２の文節に対応する第２の音声データとを結合した出力音を第２の場所へ出力する出力部と、
を備える情報処理装置。
（付記２）
前記第１の文節が存在する場合、前記複数のホワイトワードの中からいずれかを選択する選択部をさらに備え、
前記置換部は、前記記憶部を参照し、前記選択したホワイトワードに対応する音声データを前記第１の音声データとして置換する
付記１に記載の情報処理装置。
（付記３）
前記複数の音声データのそれぞれは、前記第１の場所に存在する複数の人物のいずれかが発声した音声データであり、
前記複数の人物の中から前記入力音を発声した人物を識別する人物識別部をさらに備え、
前記選択部は、前記複数のホワイトワードのうち、前記識別した人物が発声した音声データと対応付けられたホワイトワードを選択する
付記２に記載の情報処理装置。
（付記４）
前記記憶部は、前記出力の抑止対象の文字列である複数のブラックワードをさらに記憶し、
前記判定部は、
各文節について前記複数のブラックワードのいずれかに該当するか否かを判定し、
当該複数のブラックワードのいずれにも該当しなかった文節について、前記複数のホワイトワードのいずれかに該当するか否かを判定し、
前記置換部は、前記複数のブラックワードのいずれかに該当する文節、又は、前記複数のホワイトワードのいずれにも該当しないと判定された文節のいずれかである前記第１の文節が存在する場合に、前記複数のホワイトワードの中のいずれかに対応する前記第１の音声データに置換する
付記１乃至３のいずれか１項に記載の情報処理装置。
（付記５）
前記記憶部には、前記複数の音声データのいずれとも対応付けられていない第１のホワイトワードが含まれ、
前記判定部において前記複数の文節のうち前記第１のホワイトワードに該当すると判定された文節に対応する前記第２の音声データを、当該第１のホワイトワードと対応付けて前記記憶部に登録する音声登録部をさらに備える
付記１乃至４のいずれか１項に記載の情報処理装置。
（付記６）
前記出力部が出力した出力音を、前記識別した人物及び時刻情報と対応付けて履歴情報として前記記憶部に登録する履歴登録部をさらに備え、
前記選択部は、前記履歴情報を加味して前記ホワイトワードを選択する
付記３に記載の情報処理装置。
（付記７）
前記選択部は、前記履歴情報を参照し、前記複数のホワイトワードの中から直前の前記出力音と文脈が関連するものを選択する
付記６に記載の情報処理装置。
（付記８）
前記選択部は、前記履歴情報を参照し、前記複数のホワイトワードの中から直前の前記出力音と重複しないホワイトワードをランダムに選択する
付記６に記載の情報処理装置。
（付記９）
前記記憶部は、特定の文節をさらに記憶し、
前記判定部は、各文節について前記特定の文節に該当するか否かを判定し、
前記出力部は、前記特定の文節に該当すると判定された場合に、以後、前記第２の場所からの入力音をそのまま前記第１の場所へ出力する
付記１乃至７のいずれか１項に記載の情報処理装置。
（付記１０）
前記記憶部は、前記特定の文節と対応付けて音楽データをさらに記憶し、
前記出力部は、前記特定の文節に該当すると判定された場合に、前記第１の場所及び前記第２の場所へ前記音楽データの出力を開始する
付記９に記載の情報処理装置。
（付記１１）
前記判定部は、
前記音声認識により前記入力音が音声として認識できない場合に、出力先である前記第２の場所に対する出力の抑止設定がされているか否かを判定し、
前記出力部は、
前記出力の抑止設定がされていない場合に、前記入力音をそのまま前記第２の場所へ出力し、
前記出力の抑止設定がされていた場合に、前記入力音の前記第２の場所への出力を抑止する
付記１乃至１０のいずれか１項に記載の情報処理装置。
（付記１２）
第１の場所からの入力音を音声認識して複数の文節に分解し、
出力の抑止対象から除外する文字列である複数のホワイトワードと各ホワイトワードに対応する複数の音声データとを記憶する記憶部を参照し、各文節について前記複数のホワイトワードのいずれかに該当するか否かを判定し、
前記該当しないと判定された第１の文節が存在する場合、当該第１の文節に対応する音声データを前記複数のホワイトワードの中のいずれかに対応する第１の音声データに置換し、
前記第１の音声データと、前記該当すると判定された第２の文節に対応する第２の音声データとを結合した出力音を第２の場所へ出力する
音声共有方法。
（付記１３）
第１の場所からの入力音を音声認識して複数の文節に分解する処理と、
出力の抑止対象から除外する文字列である複数のホワイトワードと各ホワイトワードに対応する複数の音声データとを記憶する記憶部を参照し、各文節について前記複数のホワイトワードのいずれかに該当するか否かを判定する処理と、
前記該当しないと判定された第１の文節が存在する場合、当該第１の文節に対応する音声データを前記複数のホワイトワードの中のいずれかに対応する第１の音声データに置換する処理と、
前記第１の音声データと、前記該当すると判定された第２の文節に対応する第２の音声データとを結合した出力音を第２の場所へ出力する処理と、
をコンピュータに実行させる音声共有プログラム。
【符号の説明】
【００７６】
１０００  音声共有システム
１０  情報処理装置
１０ａ  情報処理装置
１１０  音声取得部
１２０  音声認識部
１３０  人物識別部
１４０  文節置換部
１４０ａ  文節置換部
１５０  音声出力部
１６０  記憶部
１６１  ホワイトワード
１６２  ホワイト音声データ
１６３  人物情報
１６４  ブラックワード
１６５  履歴情報
１６６  呼びかけ語
２１  子世帯住宅
２１１  マイク
２１２  スピーカ
Ｕ１１  ユーザ
Ｕ１２  ユーザ
Ｕ１３  ユーザ
２２  独居高齢者住宅
２２１  マイク
２２２  スピーカ
Ｕ２１  ユーザ
【図１】
0006662116.tif 000002
【図２】
0006662116.tif 000003
【図３】
0006662116.tif 000004
【図４】
0006662116.tif 000005
【図５】
0006662116.tif 000006
【図６】
0006662116.tif 000007
【図７】
0006662116.tif 000008
【図８】
0006662116.tif 000009
【図９】
0006662116.tif 000010
【図１０】
0006662116.tif 000011
【図１１】
0006662116.tif 000012
【図１２】
0006662116.tif 000013